(57)【要約】  本発明は、車両のヘッドライトのためのレーザ照明モジュール（１０５）について説明しており、このモジュールは、レーザ光（１０）を放出するレーザ（１１０）と、光変換装置（１３０）と、レーザ光（１０）の一部を第１の変換レーザ光（１１）に変換し、且つ第１の変換レーザ光（１１）を変換光（２０）に変換するために、その第１の変換レーザ光（１１）を光変換装置（１３０）に集束させるホログラフィック光学装置（１２０）と、を有する。ホログラフィック光学装置（１２０）は、変換光（２０）に対して透明であり、レーザ光（１０）の別の部分を、レーザがホログラフィック光学装置（１２０）を透過した後に変換光（２０）と混合される第２の変換レーザ光（１２）に変換する。本発明は、少なくとも１つのそのようなレーザ照明モジュール（１０５）を含む車両のヘッドライトについてさらに説明する。
2020502758.tif 000002
【特許請求の範囲】
【請求項１】
車両のヘッドライトのためのレーザ照明モジュールであって、該レーザ照明モジュールは、
レーザ光を放出するように適合される少なくとも１つのレーザと、
ホログラフィック光学装置と、
光変換装置と、有しており、
前記ホログラフィック光学装置は、前記レーザ光の少なくとも一部を第１の変換レーザ光に変換し、該第１の変換レーザ光が前記光変換装置上に集束され、且つ所定の強度分布の前記レーザ光が前記第１の変換レーザ光によって前記光変換装置上に提供されるように構成され、
前記光変換装置は光コンバータを含み、該光コンバータは、前記第１の変換レーザ光を変換光に変換するように適合され、該変換光のピーク発光波長が、前記第１の変換レーザ光のレーザピーク発光波長よりも長い波長範囲にあり、
前記ホログラフィック光学装置は、前記光変換装置によって放出される前記変換光の放出経路内に配置され、前記ホログラフィック光学装置は前記変換光に対して透明であり、
前記レーザ及び前記光変換装置は、前記ホログラフィック光学装置の同じ第１の側に配置され、前記ホログラフィック光学装置は、前記レーザ光の前記一部を前記第１の変換レーザ光として前記光変換装置に反射するように構成され、
前記ホログラフィック光学装置は、前記レーザ光の少なくとも別の部分を前記ホログラフィック光学装置を横切る第２の変換レーザ光に変換するように構成され、前記ホログラフィック光学装置は、前記第２の変換レーザ光と変換レーザ光との混合光が、前記ホログラフィック光学装置の前記第１の側とは反対側の第２の側を出るように構成される、
レーザ照明モジュール。
【請求項２】
車両のヘッドライトのためのレーザ照明モジュールであって、該レーザ照明モジュールは、
レーザ光を放出するように適合される少なくとも１つのレーザと、
ホログラフィック光学装置と、
光変換装置と、を有しており、
前記ホログラフィック光学装置は、前記レーザ光の少なくとも一部を第１の変換レーザ光に変換し、該第１の変換レーザ光が前記光変換装置上に集束され、且つ所定の強度分布の前記レーザ光が前記第１の変換レーザ光によって前記光変換装置上に提供されるように構成され、
前記光変換装置は光コンバータを含み、該光コンバータは、前記第１の変換レーザ光を変換光に変換するように適合され、該変換光のピーク発光波長が、前記第１の変換レーザ光のレーザピーク発光波長よりも長い波長範囲にあり、
前記ホログラフィック光学装置は、前記光変換装置によって放出される前記変換光の放出経路内に配置され、前記ホログラフィック光学装置は前記変換光に対して透明であり、
前記光変換装置は前記ホログラフィック光学装置の第１の側に配置され、前記レーザは前記ホログラフィック光学装置の第２の側に配置され、第２の側は第１の側の反対側であり、前記ホログラフィック光学装置は、前記レーザ光の前記一部を前記第１の変換レーザ光として前記光変換装置に透過させるように構成され、
前記ホログラフィック光学装置は、前記レーザ光の少なくとも別の部分を前記ホログラフィック光学装置によって反射される第２の変換レーザ光に変換するように構成され、前記ホログラフィック光学装置は、前記第２の変換レーザ光と変換レーザ光との混合光が前記ホログラフィック光学装置の前記第２の側を介して放出されるように構成される、
レーザ照明モジュール。
【請求項３】
前記ホログラフィック光学装置は、前記第２の変換レーザ光の光分布が前記ホログラフィック光学装置を横切る前記変換レーザ光の光分布と一致するように構成される、請求項１又は２に記載のレーザ照明モジュール。
【請求項４】
当該レーザ照明モジュールは反射構造を含み、該反射構造は、前記レーザ光の少なくとも更なる部分が前記ホログラフィック光学装置によって変換される前に反射されるように構成され、当該レーザ照明モジュールは、そのような反射した前記レーザ光と前記変換レーザ光との混合光を放出するように構成される、請求項２に記載のレーザ照明モジュール。
【請求項５】
前記車両のヘッドライトは少なくとも１つの前記レーザ照明モジュールから受け取った光を結像するための結像光学系をさらに含む、請求項１乃至４のいずれか一項に記載の少なくとも１つのレーザ照明モジュールを有する車両のヘッドライト。
【発明の詳細な説明】
【技術分野】
【０００１】
本発明は、車両のヘッドライトのためのレーザ照明モジュール及びこのレーザ照明モジュールを含む車両のヘッドライトに関する。
【背景技術】
【０００２】
レーザベースの白色光源、特に車両のヘッドライトにおいて、光源（レーザダイオード）から生じる光は、蛍光体のような光コンバータを含む光変換装置上に集束させなければならない。通常、非球面レンズが焦点合せに使用される。スポット及び強度分布を成形するために追加の光学素子（散乱装置、レンズアレイ、混合ロッド）が必要とされる。異なる光学素子の光学的配置及び位置合せは費用がかかり、レーザベースの光源の小型化を制限する。
【０００３】
従来のレンズコリメータの代替として、特許文献１は、回折光学素子を使用する可能性について言及している。
【先行技術文献】
【特許文献】
【０００４】
【特許文献１】国際公開第２０１２／１５４４４６号
【発明の概要】
【０００５】
本発明の目的は、コンパクトなレーザ照明モジュールを提供することである。
【０００６】
第１の態様によれば、車両のヘッドライトのためのレーザ照明モジュールが提供される。レーザ照明モジュールは、
レーザ光を放出するように適合される少なくとも１つのレーザと、
ホログラフィック光学装置と、
光変換装置と、を有しており、
ホログラフィック光学装置は、レーザ光の少なくとも一部を第１の変換レーザ光に変換し、第１の変換レーザ光が光変換装置上に集束され、且つ所定の強度分布のレーザ光が第１の変換レーザ光によって光変換装置上に提供されるように構成され、
光変換装置は光コンバータを含み、光コンバータは、第１の変換レーザ光を変換光（変換レーザ光）に変換するように適合され、変換光のピーク発光波長が、第１の変換レーザ光のレーザピーク発光波長よりも長い波長範囲にある。
【０００７】
ホログラムは、物体の３次元像として知られているが、技術的観点からは空間内に記録された（recorded）光の強度分布である。照射面のホログラムが記録され、次に同じ幾何学的形状で再構成される場合に、それは同じように表面を照らしている。そのため、そのようなホログラムを含むホログラフィック光学装置は、光コンバータ（例えば、セリウムでドープしたガーネット系蛍光体ＹＡＧ：Ｃｅ等の蛍光体）を含む光変換装置を調整された方法で照明するために使用することができる。光変換装置の受光面上の調整された強度分布は、光変換装置によって放出される変換光の調整された光分布を可能にする。ホログラフィック光学装置は、同時にコリメートレンズ及び光整形ユニットとして機能する。こうして、所望の強度分布を提供するために散乱装置、レンズアレイ、及び／又は混合ロッドと組み合わせて集束するための非球面レンズのような別個の光学装置を回避することが可能である。したがって、そのような光ホログラフィック装置を含むレーザ照明モジュールは、従来のレーザ照明モジュールよりもコンパクトにすることができる。さらに、そのような複数の光学装置を整列させるための労力が低減される。
【０００８】
ホログラムは、上述したように照明面を記録することによって直接的に見せる（exposed）ことができ、或いはそれらホログラムはコンピュータ（例えば、計算された回折構造）によって生成することができる。
【０００９】
ホログラフィック光学装置は、光変換装置によって放出される変換光の放出経路内に配置される。ホログラフィック光学装置は変換光に対して透明である。
【００１０】
ホログラフィック光学装置は、透過性素子又は反射性素子であり得る。ホログラフィック光学装置は、例えば、（青色）レーザ光の意図した集束及び光分布が光コンバータ上で可能になるようにレーザ光を回折する体積格子であり得る。この場合に、ホログラフィック光学装置は、そのホログラフィック光学装置が他の方向からの光、又は変換光（黄色光）等の異なる波長を有する光に対して透明であるように構成され得る。従って、ホログラフィック光学装置を変換光の光路内に配置することができる。この構成は、非常にコンパクトなレーザ照明モジュールを可能にし得る。
【００１１】
一実施形態では、レーザ及び光変換装置は、ホログラフィック光学装置の同じ第１の側に配置され得る。ホログラフィック光学装置は、レーザ光を第１の変換レーザ光として光変換装置に反射するように構成される。この場合に、ホログラフィック光学装置は、レーザ光を所定の強度分布で光変換装置に同時に集束させる反射性素子として構成される。変換光の光路において、レーザ光のビーム整形及び集束に使用されるレンズ、散乱装置等も変換光に影響を及ぼし、従って避けなければならない。変換光の光路において、同時に変換光に対して透明である（レーザ光に対する）そのような反射型ホログラフィック光学装置の構成は、従来の手法と比較してさらにコンパクトなレーザ照明モジュールを可能にする。光変換装置は、例えば、ホログラフィック光学装置から受け取った本質的に全ての第１の変換レーザ光を変換するように構成され得る。変換光は、ホログラフィック光学装置を介して放出され、続いて例えばレーザ光と同じ波長を有する光と組み合わされ得る。
【００１２】
ホログラフィック光学装置は、レーザ光の少なくとも別の部分を第２の変換レーザ光に変換するようにさらに構成される。一実施形態では、そのような第２の変換レーザ光は、ホログラフィック光学装置を横切ってもよい。ホログラフィック光学装置は、第２の変換レーザ光と変換レーザ光との混合光が、ホログラフィック光学装置の第１の側とは反対側の第２の側を出るように構成される。
【００１３】
この場合に、ホログラフィック光学装置は、レーザ光に対して一部しか反射しない。第１の部分が、反射され、光変換装置上に所望の強度分布で集束される第１の変換レーザ光に変換される。レーザ光の第２の部分が、ホログラフィック光学装置を透過し、ホログラフィック光学装置に含まれるホログラムと相互作用し、第２の変換レーザ光が、ホログラフィック光学装置の第１の側とは反対側の第２の側を介して放出される。第２の変換レーザ光（例えば、青色）は、ホログラフィック光学装置を横切る（黄色の）変換光と組み合わされ得る。例えば、青色レーザ光と黄色の変換光との混合光を使用して、車両のヘッドライトに使用され得る白色光を放出することができる。
【００１４】
ホログラフィック光学装置は、第２の変換レーザ光の光分布が、ホログラフィック光学装置を横切る変換レーザ光の光分布と一致するように構成され得る。
【００１５】
光変換装置は、ランバートの余弦則に従って変換光を放出することができる。ホログラフィック光学装置が第２の変換レーザ光の光分布を光変換装置の光分布に適合させるように構成される場合に、第２の変換レーザ光と変換光とを含む混合光のその後の取扱いは単純化される。この場合に、ホログラフィック光学装置は、第２の変換レーザ光が、変換光と本質的に同じ強度分布で同じ表面によって放出されるように見えるように構成される。この場合に、ホログラフィック光学装置に含まれるホログラムは、２つの照射面によって記録しなければならず、ここで、第１の照射面は光変換装置において必要な強度分布を提供し、第２の照射面は、例えばホログラフィック光学装置の第２の面の背後に規定された距離において必要な強度分布を提供する。
【００１６】
代替実施形態によれば、光変換装置はホログラフィック光学装置の第１の側に配置され得る。この場合に、レーザはホログラフィック光学装置の第２の側に配置され、第２の側は第１の側と反対側にある。ホログラフィック光学装置は、レーザ光を第１の変換レーザ光として光変換装置に透過させるように構成される。
【００１７】
この場合に、ホログラフィック光学装置は、ホログラフィック光学装置を介して透過されたレーザ光の一部を第１の変換レーザ光に変換する透過性素子である。
【００１８】
レーザ照明モジュールは反射構造を含み得る。反射構造は、レーザ光の少なくとも一部がホログラフィック光学装置によって変換される前に反射されるように構成され得る。レーザ照明モジュールは、反射したレーザ光と変換レーザ光との混合光を放出するように構成される。
【００１９】
反射構造は、例えばレーザとホログラフィック光学装置との間の光路に配置された半透過性ミラーであり得る。レーザ光の第１の部分が半透過ミラーによって反射され、他の第２の部分がホログラフィック光学装置に透過され、ホログラフィック光学装置は第２の部分を第１の変換レーザ光に変換する。あるいはまた、反射構造は、ホログラフィック光学装置の第２の面上のコーティングであり得るか、又は第２の面は、レーザ光の規定された部分を反射するように構成され得る。反射構造は、例えば、変換光に対して（本質的に）透明であり得（例えば、狭帯域ダイクロイックミラー）、又は反射構造は、変換光の光路の外側に配置され得る。
【００２０】
ホログラフィック光学装置は、レーザ光の少なくとも一部を第２の変換レーザ光に変換するように構成される。特定の実施形態では、そのような第２の変換光はホログラフィック光学装置によって反射される。ホログラフィック光学装置は、第２の変換レーザ光と変換レーザ光との混合光が、ホログラフィック光学装置の第１の側とは反対側の第２の側を出るように構成される。
【００２１】
ホログラフィック光学装置は、第２の変換レーザ光の光分布が、ホログラフィック光学装置を横切る変換レーザ光の光分布と一致するように特に構成され得る。
【００２２】
この場合に、ホログラフィック光学装置は、この場合にホログラフィック光学装置を介して透過される第１の変換レーザ光と、この場合にホログラフィック光学装置によって反射される第２の変換レーザ光とを提供するように構成される反射手法に関して上述したものと同様であり得る。一般的な原理はどちらの場合も同じであり、「反射」手法（レーザ及び光変換装置がホログラフィック光学装置の同じ側にある）に関して上述した説明は、「透過」手法（レーザ及び光変換装置がホログラフィック光学装置の異なる側にある）にも当てはまる。
【００２３】
レーザ照明モジュールは、例えば青色レーザ光を放出する（例えばアレイの形態の）２つ、３つ、４つ、又はそれ以上のレーザを含み得る。レーザベースの光源は、２つ、３つ、４つ、又はそれ以上のレーザ照明モジュールを含み得る。
【００２４】
更なる態様によれば、車両のヘッドライトが提供される。車両のヘッドライトは、上述したように少なくとも１つのレーザ照明モジュールを含む。車両のヘッドライトは、レーザ照明モジュールから受け取った光を結像する結像光学系をさらに含む。車両のヘッドライトは、上述したように２つ、３つ、４つ、又はそれ以上のレーザ照明モジュールを含み得る。
【００２５】
本発明の好ましい実施形態はまた、従属請求項とそれぞれの独立請求項との任意の組合せであり得ることを理解されたい。
更なる有利な実施形態を以下に規定する。
【図面の簡単な説明】
【００２６】
【図１】特許請求されていない第１のレーザ照明モジュールの主要図である。
【図２】特許請求されていない第２のレーザ照明モジュールの主要図である。
【図３】本発明のレーザ照明モジュールの第１の実施形態の主要図である。
【図４】本発明のレーザ照明モジュールの第２の実施形態の主要図である。
【図５】本発明のレーザ照明モジュールの第３の実施形態の主要図である。
【発明を実施するための形態】
【００２７】
本発明のこれら及び他の態様は、以下に記載される実施形態を参照して説明され明らかになるであろう。
次に、添付図面を参照しながら、実施形態に基づいて本発明を例として説明する。
図面において、同じ番号は全体を通して同じ対象を指す。図中の対象は必ずしも一定の縮尺で描かれていない。
【００２８】
次に、本発明の様々な実施形態について図面を用いて説明する。
図１は、特許請求されていない第１のレーザ照明モジュール１０５の主要図を示す。レーザ１１０がレーザ光１０をホログラフィック光学装置１２０に放出し、ホログラフィック光学装置１２０はレーザ光１０全体を反射して第１の変換レーザ光１１に変換する。第１の変換レーザ光１１は、ホログラフィック光学装置１２０によって光変換装置１３０上に集束され結像される。光変換装置１３０は、光コンバータ１３２と反射性背面構造１３６とを含む。光コンバータ１３２は、黄色のガーネット系蛍光体ＹＡＧ：Ｃｅ（例えば、Ｙ（３−０．４）Ｇｄ０．４Ａｌ５Ｏ１２：Ｃｅ）の（厚さ５０μｍの）薄いシートであり、この蛍光体は青色光を黄色光に変換するように構成される。第１の変換レーザ光１１は、所定の強度パターンの変換光２０が生成されるように、光コンバータ１３２の発光面１３１を所定の強度パターンで照明する。光変換装置１３０は、少なくとも変換レーザ光１１及び好ましくは変換光２０を反射するように構成された反射性背面構造１３６をさらに含む。変換装置は、青色の第１の変換レーザ光１１の約２１％が発光面１３１を介して放出されるように構成される。残りの青色の第１の変換レーザ光１１は、光変換装置１３０によって変換され、発光面１３１を介して放出される。これにより、例えば反射したレーザ光１３と変換光２０との混合によって白色光がもたらされるように蛍光体におけるストークス損失を考慮に入れる、２６％の青色のレーザ光と７４％の黄色の変換光の比が可能になる。
【００２９】
レーザ１１０は、オプションで、レーザ光１０の第１の部分がホログラフィック光学装置１２０に放出され、第２の部分が鏡のような光学装置によって方向を変えられるように構成され、ホログラフィック光学装置１２０は、レーザ光１０に対して完全に反射性を示すが変換光２０に対して本質的に透過性を示し得る。変換光２０は、例えば以下の図３に関して説明するように、ホログラフィック光学装置１２を介して放出してもよい。変換光２０は、白色光を得るためにレーザ光１０の第２の部分と組み合わせることができる。
【００３０】
図２は、特許請求されていない第２のレーザ照明モジュール１０５の主要図を示す。レーザ１１０がレーザ光１０をホログラフィック光学装置１２０に放出し、ホログラフィック光学装置１２０はレーザ光１０全体を透過させて第１の変換レーザ光１１に変換する。第１の変換レーザ光１１は、ホログラフィック光学装置１２０によって光変換装置１３０上に集束され結像される。光変換装置１３０は光コンバータ１３２を含む。光コンバータ１３２は透過性構成で配置される。第１の変換レーザ光１１は、所定の強度パターンの変換光２０が生成され、光コンバータ１３２の第１の面とは反対側の発光面１３１を介して放出されるように、光コンバータ１３２の第１の面を所定の強度パターンで照明する。第１の変換レーザ光１１の一部が、光変換装置１３０を透過して発光面１３１において放出され、それによって透過したレーザ光１４と変換光２０との混合光が発光面１３１を介して放出される。全ての第１の変換レーザ光１１は別の設定で変換してもよい。
【００３１】
図３は、本発明のレーザ照明モジュール１０５の第１の実施形態の主要図を示す。レーザ１１０及び光変換装置１３０が、ホログラフィック光学装置１２０の同じ第１の側に配置される。ホログラフィック光学装置１２０は、レーザ１１０によって放出されたレーザ光１０の第１の部分を反射して変換する。このような第１の変換レーザ光１１は、図１に関して説明したのと同様に構成される光変換装置１３０の発光面１３１で受光される。この場合に、差は、光変換装置１３０が、（例えば、より厚い光コンバータ１３２及び／又は異なるドーピングによって）本質的に全ての第１の変換レーザ光１１を変換光２０に変換するように構成されることである。レーザ光１０の第２の部分が、ホログラフィック光学装置１２０を横切り、第２の変換レーザ光１２に変換される。ホログラフィック光学装置１２０は、第２の変換レーザ光１２の照明パターンが、光変換装置１３０の発光面１３１から放出される変換光２０の照明パターンと一致するように、レーザ光１０の残りの部分を第２の変換レーザ光１２に変換する。第２の変換レーザ光（例えば青色）１２と変換光（例えば黄色）２０との混合光が、ホログラフィック光学装置１２０の第２の面を介して放出され、第２の面はホログラフィック光学装置１２０の第１の面とは反対側にある。
【００３２】
図４は、本発明のレーザ照明モジュール１０５の第２の実施形態の主要図を示す。図３に関して説明した光変換装置１３０と同様の光変換装置１３０が、ホログラフィック光学装置１２０の第１の側に配置される。レーザ１１０が、ホログラフィック光学装置１２０の第２の側に配置される。反射構造１２２が、レーザ１１０とホログラフィック光学装置の第２の側との間に配置される。反射構造１２２は、ホログラフィック光学装置１２０の第２の側に取り付けられた、交互の屈折率を有する多数の薄層を含むダイクロイックミラーである。レーザ光１０の第１の部分が、ダイクロイックミラー１２２を通過し、ホログラフィック光学装置１２０によって（上述したように光変換装置１３０の光コンバータ１３２を照明する）第１の変換レーザ光１１に変換される。第１の変換レーザ光１１は、発光面１３１からホログラフィック光学装置１２０の方向に放出される変換光２０に完全に変換される。レーザ光１０の第２の部分が反射構造１２２によって反射される。変換光２０は、本質的にいかなる相互作用もなしにホログラフィック光学装置１２０及び狭帯域ダイクロイックミラー１２２を通過し、それによって反射したレーザ光１２と変換光２０との混合光がレーザ照明モジュール１０５によって放出される。
【００３３】
図５は、本発明のレーザ照明モジュール１０５の第３の実施形態の主要図を示す。この構成は、図４に関して説明した構成と同様である。この場合に、ホログラフィック光学装置１２０は、レーザ光１０の残りの部分を反射し、レーザ光１０のそのような残りの部分を第２の変換レーザ光１２に変換するように構成される。第２の変換レーザ光１２の光分布は、図３に関して説明したのと同様にホログラフィック光学装置１２０によって変換光２０の光分布に適合される。この場合に、光変換装置１３０は、光コンバータ１３２とヒートシンク１３８とを含む。光コンバータ１３２はまた、発光面１３１の反対側の面でヒートシンク１３８に取り付けられた蛍光材料の薄いシートである。光コンバータ１３２に取り付けられたヒートシンク１３８の表面は、変換光２０に対して反射性を示す。レーザ光１０の波長範囲の光がヒートシンク１３８によって吸収され、それによって変換光２０のみが発光面１３１を介して放出される。
【００３４】
本発明について図面及び前述した説明において詳細に図示及び説明してきたが、そのような図示及び説明は例又は例示的であり、限定的ではないとみなすべきである。
【００３５】
本開示を読むことにより、他の修正が当業者には明らかになるであろう。そのような修正は、当技術分野において既に知られており、本明細書において既に説明された特徴の代わりに又はそれに加えて使用され得る他の特徴を含み得る。
【００３６】
開示された実施形態に対する変形は、図面、本開示、及び添付の特許請求の範囲の検討から、当業者によって理解され達成され得る。請求項において、単語「備える、有する、含む（comprising）」は他の要素又はステップを排除するものではなく、不定冠詞「１つの（a,
an）」は複数の要素又はステップを除外するものではない。特定の手段が互いに異なる従属請求項に記載されているという単なる事実は、これらの手段の組合せを有利に使用することができないことを示すものではない。
請求項中の如何なる参照符号もその範囲を限定するものとして解釈すべきではない。
【符号の説明】
【００３７】
１０    レーザ光
１１    第１の変換レーザ光
１２    第２の変換レーザ光
１３    反射したレーザ光
１４    透過したレーザ光
２０    変換光
１０５  レーザ照明モジュール
１１０  レーザ
１２０  ホログラフィック光学装置
１２２  反射構造
１３０  光変換装置
１３１  発光面
１３２  光コンバータ
１３６  反射性背面構造
１３８  ヒートシンク
【図１】
2020502758.tif 000003
【図２】
2020502758.tif 000004
【図３】
2020502758.tif 000005
【図４】
2020502758.tif 000006
【図５】
2020502758.tif 000007
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
車両のヘッドライトのためのレーザ照明モジュールであって、該レーザ照明モジュールは、
レーザ光を放出するように適合される少なくとも１つのレーザと、
ホログラフィック光学装置と、
光変換装置と、有しており、
前記ホログラフィック光学装置は、前記レーザ光の少なくとも一部を第１の変換レーザ光に変換し、該第１の変換レーザ光が前記光変換装置上に集束され、且つ所定の強度分布の前記レーザ光が前記第１の変換レーザ光によって前記光変換装置上に提供されるように構成され、
前記光変換装置は光コンバータを含み、該光コンバータは、前記第１の変換レーザ光を変換光に変換するように適合され、該変換光のピーク発光波長が、前記第１の変換レーザ光のレーザピーク発光波長よりも長い波長範囲にあり、
前記ホログラフィック光学装置は、前記光変換装置によって放出される前記変換光の放出経路内に配置され、前記ホログラフィック光学装置は前記変換光に対して透明であり、
前記レーザ及び前記光変換装置は、前記ホログラフィック光学装置の同じ第１の側に配置され、前記ホログラフィック光学装置は、前記レーザ光の前記一部を前記第１の変換レーザ光として前記光変換装置に反射するように構成され、
前記ホログラフィック光学装置は、前記レーザ光の少なくとも別の部分を前記ホログラフィック光学装置を横切る第２の変換レーザ光に変換するように構成され、前記ホログラフィック光学装置は、前記第２の変換レーザ光と変換レーザ光との混合光が、前記ホログラフィック光学装置の前記第１の側とは反対側の第２の側を出るように構成される、
レーザ照明モジュール。
【請求項２】
車両のヘッドライトのためのレーザ照明モジュールであって、該レーザ照明モジュールは、
レーザ光を放出するように適合される少なくとも１つのレーザと、
ホログラフィック光学装置と、
光変換装置と、を有しており、
前記ホログラフィック光学装置は、前記レーザ光の少なくとも一部を第１の変換レーザ光に変換し、該第１の変換レーザ光が前記光変換装置上に集束され、且つ所定の強度分布の前記レーザ光が前記第１の変換レーザ光によって前記光変換装置上に提供されるように構成され、
前記光変換装置は光コンバータを含み、該光コンバータは、前記第１の変換レーザ光を変換光に変換するように適合され、該変換光のピーク発光波長が、前記第１の変換レーザ光のレーザピーク発光波長よりも長い波長範囲にあり、
前記ホログラフィック光学装置は、前記光変換装置によって放出される前記変換光の放出経路内に配置され、前記ホログラフィック光学装置は前記変換光に対して透明であり、
前記光変換装置は前記ホログラフィック光学装置の第１の側に配置され、前記レーザは前記ホログラフィック光学装置の第２の側に配置され、第２の側は第１の側の反対側であり、前記ホログラフィック光学装置は、前記レーザ光の前記一部を前記第１の変換レーザ光として前記光変換装置に透過させるように構成され、
前記ホログラフィック光学装置は、前記レーザ光の少なくとも別の部分を前記ホログラフィック光学装置によって反射される第２の変換レーザ光に変換するように構成され、前記ホログラフィック光学装置は、前記第２の変換レーザ光と変換レーザ光との混合光が前記ホログラフィック光学装置の前記第２の側を介して放出されるように構成される、
レーザ照明モジュール。
【請求項３】
前記ホログラフィック光学装置は、前記第２の変換レーザ光の光分布が前記ホログラフィック光学装置を横切る前記変換レーザ光の光分布と一致するように構成される、請求項１又は２に記載のレーザ照明モジュール。
【請求項４】
前記車両のヘッドライトは少なくとも１つの前記レーザ照明モジュールから受け取った光を結像するための結像光学系をさらに含む、請求項１乃至３のいずれか一項に記載の少なくとも１つのレーザ照明モジュールを有する車両のヘッドライト。
【国際調査報告】
2020502758.tif 000008
2020502758.tif 000009
2020502758.tif 000010